(57)【要約】【課題】  巻筒体の支持構造をなす両側板のフラップ構造として、簡単操作で押し込める、巻筒体の飛び出しを防止する、シートの引き出し抵抗を少なくする等の性能を満足することができる巻筒体収納箱を提供する。【解決手段】  この巻筒体収納箱１０は、両端面を覆う一対の側面板２０が、重なり合った内板１９と外板１６とを有し、内板１９の中央部は全体として概略Ｙ字状をなした切れ目線３５により、ほぼ３角形状の３つのフラップ３７、３８、３９が折れ曲げ可能に形成されている。そして、収納箱１０内に巻筒体３０を収納した状態で、両側面板の外板の押し込みフラップ４０を指等で押し込むと、内板の概略Ｙ字状の切れ目線３５で分離された３つのフラップ３７、３８、３９が押し込みフラップ４０に押されて内側にそれぞれ折曲され、巻筒体３０の両端部の芯孔３２に挿入されて、巻筒体３０を支持する。【選択図】  図１
2007001625.tif 000002
【特許請求の範囲】
【請求項１】
ラップフィルム、アルミホイル、クッキングペーパ等のシート巻筒体を収納する巻筒体収納箱において、
前記巻筒体の両端面を覆う一対の側面板が、重なり合った内板と外板とを有しており、
前記内板の中央部には、全体として概略Ｙ字状をなし、その縦線が底板に対してほぼ垂直に配置された切れ目線と、この切れ目線の各端部を結ぶ折れ曲げ線とによって、ほぼ３角形状の３つのフラップが折れ曲げ可能に形成されており、
前記外板の中央部には、前記Ｙ字状の切れ目線の斜め線の先端どうしを結ぶ折れ曲げ線とほぼ平行な折り曲げ線と、この折れ曲げ線の両端に連結された切れ目線とで囲まれた押し込みフラップが、前記Ｙ字状の切れ目線の交差部に重なるように形成されていることを特徴とする巻筒体収納箱。
【請求項２】
前記Ｙ字状の切れ目線の斜め線の先端は、外側に凸の曲線をなして、前記折れ曲げ線の両端に連結されている請求項１記載の巻筒体収納箱。
【請求項３】
前記押し込みフラップの折れ曲げ線は、ほぼ直線状をなし、この折れ曲げ線の両端に連結された切れ目線は、その両端が外側に凸の曲線をなしている請求項１又は２に記載の巻筒体収納箱。
【請求項４】
前記収納箱を構成する紙の展開した状態での厚さをＴｍｍとし、前記Ｙ字状の切れ目の縦線の長さをＬｍｍとしたとき、下記数式１の関係となるように各長さが設定されている請求項１〜３のいずれか１つに記載の巻筒体収納箱。
−２５Ｔ＋４０＜３Ｌ＜−３５Ｔ＋５９…数式１
【発明の詳細な説明】
【技術分野】
【０００１】
本発明は、ラップフィルムを収納する巻筒体収納箱に関し、特に巻筒体の芯孔の両端に挿入するため、収納箱の両側板に設けられるフラップ構造の改良に関する。
【背景技術】
【０００２】
ラップフィルム、アルミホイル、クッキングペーパ等のシート巻筒体は、紙製の細長い箱体に収納され、使用時に箱体の蓋を開いて巻筒体を回転させながらシートを所望の長さだけ引き出し、蓋の端部に形成された鋸刃状のカッタ部でシートを切断して取出すようにしている。
【０００３】
この巻筒体収納箱の両側板には、外部から指等で押し込むことにより、巻筒体の両端部の芯孔に挿入されるフラップが形成されている。このフラップは、糊付けして側板を構成する、重なり合った内板及び外板に、折り曲げ線や切れ目線を設けて形成されており、指等で押し込むと切れ目線の部分で切り離され、折れ曲げ線の部分で折曲されて、箱の内側に押し出されると共に、巻筒体の芯孔に挿入されるように構成されている。このフラップを巻筒体の両端部の芯孔に挿入することにより、シートを引き出すときに巻筒体が箱から飛び出すのを防止することができる。
【０００４】
ところで、このフラップは、１）簡単な操作で押し込むことができ、２）巻筒体の飛び出しを防止すると共に、３）シートの引き出し抵抗を少なくし、４）シートの端部が巻筒体に貼り付いて取出しにくくなってしまったような場合には箱から巻筒体を取出すことができ、５）組立時における側板の糊付けへの障害がなく、６）保管時にフラップの開口部から虫やゴミが入りにくく、７）箱の製造時における加工や組立が複雑とならないことが要求される。
【０００５】
このような巻筒体収納箱の両側板に設けられるフラップ構造の改良技術として、例えば下記特許文献１には、左右の側面板の外板に斜めの折り目線を介してU字状の係止片を設け、内板に上記U字状の係止片を支える横U字状などの補助係止片を設けたラップフィルム収容箱が提案されている。
【０００６】
また、下記特許文献２には、左右の側面板の外板に横の折り目線を介して長方形状のフラップを形成し、内板の上記長方形状のフラップに重なる位置に同じく横の折り目線を介してかまぼこ形状のフラップを形成し、外板の長方形状のフラップを押し込んで、内板のかまぼこ形状のフラップを内側に倒して巻筒体の両端部の芯孔に挿入する構造のものが開示されている。
【０００７】
更に、下記特許文献３には、左右の側面板の外板に、横の折り目線を介して係止片を形成し、内板には、上記係止片と重なる位置に同じく横の折り目線を介して係止片を形成すると共に、上記各係止片の下端に位置する部分に、上記各係止片を支える支え片を同じく横の折り目線を介して形成したものが開示されている。
【特許文献１】特許第３１１４４０７号公報
【特許文献２】特開平１０−３３８２２８号公報
【特許文献３】特許第２９３７００２号公報
【発明の開示】
【発明が解決しようとする課題】
【０００８】
巻筒体収納箱の両側板に設けられる、巻筒体を支持するためのフラップ構造としては、上記のように各種の構造のものが提案されているが、前述した１）〜７）の要求を全て満たすものは、まだ得られていなかった。
【０００９】
したがって、本発明の目的は、巻筒体の支持構造をなす両側板のフラップ構造として、前述した１）〜７）の要求をほとんど全て満たすことができるようにした巻筒体収納箱を提供することにある。
【課題を解決するための手段】
【００１０】
上記目的を達成するため、本発明は、ラップフィルム、アルミホイル、クッキングペーパ等のシート巻筒体を収納する巻筒体収納箱において、
前記巻筒体の両端面を覆う一対の側面板が、重なり合った内板と外板とを有しており、
前記内板の中央部には、全体として概略Ｙ字状をなし、その縦線が底板に対してほぼ垂直に配置された切れ目線と、この切れ目線の各端部を結ぶ折れ曲げ線とによって、ほぼ３角形状の３つのフラップが折れ曲げ可能に形成されており、
前記外板の中央部には、前記Ｙ字状の切れ目線の斜め線の先端どうしを結ぶ折れ曲げ線とほぼ平行な折り曲げ線と、この折れ曲げ線の両端に連結された切れ目線とで囲まれた押し込みフラップが、前記Ｙ字状の切れ目線の交差部に重なるように形成されていることを特徴とする巻筒体収納箱を提供するものである。
【００１１】
本発明によれば、収納箱内に巻筒体を収納した状態で、両側面板の外板の押し込みフラップを指等で押し込むと、内板のＹ字状の切れ目線で分離された３つのフラップが押し込みフラップに押されて内側にそれぞれ折曲される。このとき、押し込みフラップとほぼ平行な折れ曲げ線を有するフラップは、押し込みフラップとほぼ平行に折り曲げられて巻筒体の両端部の芯孔に挿入され、押し込みフラップに折り曲げ方向の力がかかったときにそれを押さえる力を付与する。また、内板の残りの２つのフラップは、押し込みフラップの押し込み方向に対して裏面側（収納箱の外側面側）に係合して、押し込みフラップが外側方向に戻るのを抑制する。
【００１２】
したがって、１）指等で簡単に各フラップを押し込むことができ、２）外板の押し込みフラップが、内板のフラップによって両面から支持され、シートを引き出すときに巻筒体にかかる力によって、巻筒体が箱から飛び出してしまわないようにしっかりと支持することができる。また、３）重なり合う外板の押し込みフラップとそれと平行な折れ曲げ線を有する内板のフラップの両側が、巻筒体内周に接触するだけなので、シートの引き出し抵抗は、比較的小さい。また、４）シートの端部が巻筒体に貼り付いてしまったような場合には、巻筒体を箱の開口部方向に強く引っ張ることにより、外板の押し込みフラップ及びそれと平行な折り曲げ線を有する内板のフラップが更に大きく折れ曲がって、巻筒体を容易に引っ張り出すことができ、また、巻筒体を再び箱内に収容すれば、上記２つのフラップが元に戻りながら巻筒体の芯孔に挿入されるので、元の状態に戻すことができる。更に、５）外板と内板の切れ目線や折り曲げ線は、各板の中央部に設けられるので、各板の周縁部に糊付けすることによって、組立時における外板や内板の糊付けへの障害がない。更に、６）内板の２つのフラップが、押し込みフラップの押し込み方向に対して裏面側（収納箱の外側面側）に係合することにより、押し込みフラップを押し込むことによって形成される隙間が、上記２つのフラップによって塞がれて小さくなるので、保管時にフラップの開口部から虫やゴミが入りにくい。更に、７）両側板を形成する内板と外板とに、切れ目線と折り曲げ線とを形成するだけでよいので、箱の製造時における加工や組立が複雑とならない。このように、本発明によれば、前述した１）〜７）の要求をほとんど全て満たすことができる。
【００１３】
本発明においては、前記Ｙ字状の切れ目線の斜め線の先端は、外側に凸の曲線をなして、前記折れ曲げ線の両端に連結されていることが好ましい。これによれば、斜め線の先端を結ぶ折れ曲げ線で折り曲げられたフラップの両側端部が凸曲線をなすので、巻筒体の芯孔に挿入されやすくなると共に、巻筒体の内周に接触したときの抵抗を少なくすることができる。
【００１４】
また、前記押し込みフラップの折れ曲げ線は、ほぼ直線状をなし、この折れ曲げ線の両端に連結された切れ目線は、その両端が外側に凸の曲線をなしていることが好ましい。これによれば、押し込みフラップを押し込むときに、内板の各フラップ間にスムーズに挿入することができると共に、巻筒体の芯孔に挿入しやすくすることができる。
【００１５】
更に、前記収納箱を構成する紙の展開した状態での厚さをＴｍｍとし、前記Ｙ字状の切れ目の縦線の長さをＬｍｍとしたとき、下記数式１の関係となるように各長さが設定されていることが好ましい。
−２５Ｔ＋４０＜３Ｌ＜−３５Ｔ＋５９…数式１
これによれば、押し込みフラップの押し込み方向に対して裏面側（収納箱の外側面側）に係合して、押し込みフラップが外側方向に戻るのを抑制する２つのフラップの縦方向の長さを紙厚に応じて調整することにより、押し込みフラップの戻りを防止するための係止力を十分に確保することができる。
【発明の効果】
【００１６】
上記のように、本発明の巻筒体収納箱によれば、巻筒体の支持構造をなす両側板のフラップ構造として、前述した１）〜７）の要求をほとんど全て満たすことができる巻筒体収納箱を提供することが可能となる。
【発明を実施するための最良の形態】
【００１７】
次に本発明の一実施形態を図面を参照して説明する。
図１、２、３を併せて参照すると、この巻筒体収納箱１０は、厚紙を図２に示すような展開形状に切断し、必要箇所に折れ目線及び切れ面線を設けたもので作られている。
【００１８】
なお、折れ目線は、厚紙の折り曲げようとするラインに沿って、例えば線状にプレスしたり、ミシン目状のスリットを設けたりすることにより形成することができる。また、切れ目線は、切り離したいラインに沿って厚紙を線状に打ち抜くことにより形成することができる。図において、折れ目線は点線、切れ目線は実線で記載している。
【００１９】
図１、２において、１１は前面板であり、この前面板１１の開口部側に、折返し片１２が折れ目線を介して連設されている。また、前面板１１の左右両側には、糊付け片１３が同じく折れ目線を介して連設されている。それぞれの糊付け片１３には、後述する押し込みフラップ４０を避けるための切欠き１４が形成されている。
【００２０】
前面板１１の下辺には、底板１５が折れ目線を介して連設されている。底板１５の左右両側には、外板１６が折れ目線を介して連設され、更に、外板１６の左右両側には、折返し片１７が同じく折れ目線を介して連設されている。
【００２１】
底板１５の後端部には、背面板１８が折れ目線を介して連設されている。この背面板１８の左右両側には、内板１９が同じく折れ目線を介して連設されている。
【００２２】
背面板１８の上辺には、上蓋板２１が折れ目線を介して連設され、この上蓋板２１の左右両側には、側片２２が同じく折れ目線を介して連設されている。更に、上蓋板２１の前辺には、前蓋板２３が折れ目線を介して連設されており、この前蓋板２３の左右両側には、糊付け片２４が同じく折れ目線を介して連設されている。
【００２３】
更に、前蓋板２３の前端縁は仮止め片２８をなし、この仮止め片２８に設けられた仮付けポイント２８ａが、前面板１１に糊付けされるようになっている。また、上記仮止め片２８には、仮止め片２８を前面板１１から引き剥がして前蓋板２３から分離するための切り取り線２９が形成されている。そして、前蓋板２３には、そのカッタ部が上記切り取り線２９からやや前方に突出するように鋸歯状のカッタ２５が固着されている。
【００２４】
そして、図２に示す展開形状の紙製のシートを、それぞれの折れ目線で折り曲げ、糊付け片１３を、外板１６と内板１９との間に配置し、外板１６、糊付け片１３、及び内板１９をそれぞれ糊付けすることにより、図１、３に示す側面板２０を形成する。
【００２５】
また、上蓋板２１の両側に連設された側片２２に、前蓋板２３の両側に連設された糊付け片２４を糊付けすることにより、図１、３に示す蓋体２６が形成される。こうして形成された収納空間２７に、巻筒体３０を収容するようになっている。
【００２６】
なお、前面板１１に連設された折返し片１２、及び、外板１６に連設された折返し片１７は、巻筒体３０が収納空間２７から飛び出しにくくする作用をなしている。また、前面板１１に連設された折返し片１２は、図３に示すように、巻筒体３０からラップフィルム３１を引き出す際のガイドとしても機能する。なお、この実施形態では、巻筒体３０としてラップフィルム３１を巻き付けたものを例示したが、本発明の収納箱は、例えば、アルミホイル、クッキングペーパ等の他のシート巻筒体にも適用することができる。
【００２７】
本発明の特徴は、上記のような基本的な構成をなす巻筒体収納箱１０において、側面板２０に巻筒体３０の芯孔に挿入される飛び出し防止機構を設けた点にある。
【００２８】
この飛び出し防止機構は、内板１９及び外板１６に設けた切れ目線及び折れ目線によって、形成される各フラップによって構成される。
【００２９】
図４は、内板１９を内側から見た図である。内板１９の中央部付近には、概略Ｙ字状の切れ目線３５が形成されている。すなわち、この切れ目線３５は、縦線３５ａと、この縦線３５ａの上端から左右斜め上方向に伸びる斜め線３５ｂ、３５ｃとで形成されている。縦線３５ａは、底板１５に対してほぼ垂直に配置されている。
【００３０】
斜め線３５ｂ、３５ｃの先端には、更に左右外側方向に凸の曲線３５ｄ、３５ｅが連設されている。また、この曲線３５ｄ、３５ｅの端部を結ぶ折れ目線３６ａが形成されている。折れ目線３６ａは、底板１５とほぼ平行に配置されている。そして、斜め線３５ｂ、３５ｃ、曲線３５ｄ、３５ｅ、折れ目線３６ａで囲まれた部分が、押えフラップ３７をなしている。
【００３１】
更に、縦線３５ａ、斜め線３５ｂの端部同士を結ぶ折れ目線３６ｂが形成されており、それらによって囲まれる部分が支持フラップ３８をなしている。同様に、縦線３５ａ、斜め線３５ｃの両端部を連結する折れ目線３６ｃが形成されており、これらで囲まれた部分が支持フラップ３９をなしている。なお、図４中の３２は巻筒体３０の芯孔である。
【００３２】
図５は、外板１６を外側から見た形状を示している。外板１６の中央部付近には、前記内板１９の折れ目線３６ａとほぼ平行な折れ目線４１が形成されている。この折れ目線４１は、内板１９に設けた前記折れ目線３６ａよりもやや短く形成されており、その両端には、左右外側に凸の曲線からなる切れ目線４２が連結されている。そして、折れ目線４１、及び、切れ目線４２で囲まれた部分が、押し込みフラップ４０をなしている。
【００３３】
この押し込みフラップ４０のほぼ中央部に、前記内板１９の切れ目線３５の交点が位置するようになっている。内板１９及び外板１６に設けられる上記各フラップの寸法は、特に限定されないが、各部の寸法を例えば図６に示すように表したとき、それぞれの寸法の好ましい範囲は、次の通りである。
【００３４】
側面板２０の幅Ａは４２〜５５ｍｍ、側面板２０の高さＢは４２〜５５ｍｍ、押し込みフラップ４０の高さＯは９〜１５ｍｍ、押えフラップ３７の折れ目線３６ａから押し込みフラップ４０の折れ目線４１までの長さＰは１〜３ｍｍ、側面板２０の上端から押えフラップ３７の折れ目線３６ａまでの長さＱは１５〜３０ｍｍ、縦線３５ａの長さＬは５〜１５ｍｍ、側面板２０の下端から縦線３５ａの下端までの長さＭは５〜１５ｍｍ、押えフラップ３７の折れ目線３６ａから縦線３５ａの上端までの長さＮは８〜１４ｍｍ（ただし押し込みフラップ４０の高さＯより短い）、押えフラップ３７の幅W1は１５〜２５ｍｍ、押し込みフラップ４０の幅W２は１５〜２５ｍｍであることが好ましい。
【００３５】
なお、上記各寸法が好ましい理由について説明すると、押し込みフラップ４０の高さＯは、指で押し込めること、及び巻筒体３０の芯孔３２の内径に引っ掛からないようにするためである。押えフラップ３７の折れ目線３６ａから押し込みフラップ４０の折れ目線４１までの長さＰはできるだけずれが少ない方が好ましい。
【００３６】
側面板２０の上端から押えフラップ３７の折れ目線３６ａまでの長さＱ、及び側面板２０の下端から縦線３５ａの下端までの長さＭの可能な範囲は、収納箱１０のサイズ、巻筒体３０の外径、芯孔３２の内径などにより変わってくるが、図１０、１１に示すような各フラップの上限及び下限位置を考慮して定められる。図１０は各フラップを上限に配置した状態、図１１は各フラップを下限に配置した状態を示している。いずれも、押し込みフラップ４０を押し込むことによって、巻筒体３０の芯孔３２内に挿入することができるが、実用性を持たせるには、長さＱは糊付け片１３と外板１６及び内板１９の糊付けに必要な部分を避ける必要があり、また、長さＭがあまり短くなると収納箱１０の強度が低下して好ましくないので、図１０と図１１との間で、最適な位置範囲を決める必要がある。
【００３７】
押えフラップ３７の折れ目線３６ａから縦線３５ａの上端までの長さＮは、押し込みフラップ４０より短いことが必要である。
【００３８】
押えフラップ３７の幅Ｗ１は、巻筒体３０の芯孔３２の内径よりやや小さい大きさが好ましい。この押えフラップ３７が、芯孔３２内に挿入されることにより、巻筒体３０をガタつきなく保持させるようにすることができる。
【００３９】
押し込みフラップ４０の幅W２は指で押えられることと、広すぎて縦方向に折れることを防止するため、上記範囲が好ましい。
【００４０】
また、縦線３５ａの長さＬ（ｍｍ）は、紙の厚さと、押し込みフラップ４０を押し込むときの抵抗や、戻りの強さなどを考慮して定められる。また、巻筒体収納箱１０を形成する紙の厚さ（ｍｍ）によって、下記数式１の関係となるように設定することがより好ましい。
−２５Ｔ＋４０＜３Ｌ＜−３５Ｔ＋５９…数式１
【００４１】
このように、縦線３５ａの長さＬを、紙の厚さＴに応じて設定することにより、押し込みフラップ４０を押し込んだときに、支持フラップ３８、３９によって、押し込みフラップ４０をしっかりと支えることが可能となる。
【００４２】
次に、この巻筒体収納箱１０の使用方法について説明する。巻筒体３０は、この巻筒体収納箱１０内に収納されて、前蓋板２３の仮止め片２８を前面板１１に仮付けポイント２８ａで糊付けして封止した状態で販売される。そして、ユーザーが使用時に、仮止め片２８を切り取り線２９で分離しつつ、前面板１１から引き剥がす。すると、前蓋板２３が前面板１１から離れて、蓋体２６が開閉可能となり、前蓋板２３の前端縁には、鋸歯状のカッタ２５のカッタ部が露出する。
【００４３】
更に、使用の開始時に、ユーザーが両側の側面板２０、２０に設けられた外板１６の押し込みフラップ４０を指等によって、巻筒体収納箱１０の内部に向けて押し込む。
【００４４】
すると、図７及び図８に示すように、押し込みフラップ４０は、内板１９のＹ字状の切れ目線３５で分離された押えフラップ３７、支持フラップ３８、３９を内側に押し広げながら、巻筒体収納箱１０の内部に押し込められる。その結果、内板１９の押えフラップ３７は、外板１６の押し込みフラップ４０に重なって、ほぼ平行に折り曲げられる。また、内板１９の支持フラップ３８、３９は、押し込みフラップ４０によって、内方に折れ曲がった後、押し込みフラップ４０の押し込み方向に対して裏面側（巻筒体収納箱１０の外側面側）に係合して、押し込みフラップ４０が外側方向に戻るのを制止する。
【００４５】
こうして、押し込みフラップ４０及び押えフラップ３７が、巻筒体収納箱１０の内方に押出され、巻筒体３０の芯孔３２に挿入されて、巻筒体３０からラップフィルム３１を引き出す際に、巻筒体３０が巻筒体収納箱１０から飛び出してしまうのを防止することができる。
【００４６】
この巻筒体収納箱１０によれば、次のような作用効果が得られる。
【００４７】
１）外板１６の押し込みフラップ４０を指で押し込むだけで、巻筒体３０の芯孔３２に、押えフラップ３７及び押し込みフラップ４０を挿入して、巻筒体３０を回転可能に支持させることができる。
【００４８】
押し込みフラップ４０を押し込んだとき、押し込みフラップ４０の先端が支持フラップ３８，３９を超えるとき、カチッと音がしたり、指に軽い衝撃が伝わり、押し込みが完了したということが良くわかる。
【００４９】
２）ラップフィルム３１を引き出すときに、芯孔３２に挿入された押えフラップ３７及び押し込みフラップ４０が協働して巻筒体３０を支持するため、巻筒体３０が飛び出してしまわないようにしっかりと支持することができる。
【００５０】
３）巻筒体３０の芯孔３２内周には、主として、押えフラップ３７の両側端部が当接し、該両側端部は外側に凸の曲線３５ｄ、３５ｅで切り取られた形状をなすので、巻筒体３０が回転するときの摺動抵抗が小さく、ラップフィルム３１の引き出し抵抗を小さくすることができる。
【００５１】
４）ラップフィルム３１が巻筒体３０に貼り付いてしまい、その取出しが困難になったような場合には、巻筒体３０を巻筒体収納箱１０の開口部方向に強く引っ張ることにより、押し込みフラップ４０及び押えフラップ３７が上方に折り曲げられて、巻筒体３０を比較的容易に取出すことができる。
【００５２】
そして、巻筒体３０に貼りついてしまったラップフィルム３１の端部を引き出して、巻筒体３０を再び巻筒体収納箱１０内に収納するときには、押えフラップ３７及び押し込みフラップ４０は前記とは逆に下方に押されて、巻筒体３０の収納空間２７への収納を可能にする。
【００５３】
更に、巻筒体３０が再び収納されると、内板１９の支持フラップ３８、３９によって支持された押し込みフラップ４０が、押えフラップ３７を巻筒体３０の芯孔３２内に挿入する。このようにして、巻筒体３０を巻筒体収納箱１０からの飛び出しを防止するように、再び回転可能に支持することができる。
【００５４】
５）内板１９の切れ目線３５や、折れ目線３６ａ、３６ｂ、３６ｃ等、及び外板１６の折れ目線４１、切れ目線４２等は、それぞれの板の中央部付近に形成されており、各板の周縁部は糊付け可能なスペースを残している。そのため、内板１９と外板１６との間に糊付け片１３を挿入して、これら各板を糊付けすることは容易であり、組み立て時における外板１６や内板１９の糊付けへの障害はない。
【００５５】
６）図１及び図７に示すように、押し込みフラップ４０を押し込んだ状態で、押し込みフラップ４０の下方空間が一対の支持フラップ３８、３９で支持されるため、全体として側面板２０の開口部が小さくなり、該開口部から虫等が侵入することを防止することができる。
【００５６】
７）巻筒体収納箱１０の製造に際しては、従来の収納箱に比べて、外板１６及び内板１９に前述したような切れ目線や折れ目線を形成するだけで済むため、巻筒体収納箱１０製造時における加工や組み立てが煩雑となることがない。
【実施例】
【００５７】
巻筒体の飛び出し防止機構として、図９の（Ａ）〜（Ｇ）に示すような側板の構造をもった巻筒体収納箱について、（１）セットのしやすさ、（２）飛び出し防止機能、（３）フィルムの引き出し抵抗、（４）ロールの取出しやすさ、（５）糊付けへの障害、（６）虫・ゴミが入らない、の６項目について、２０名のパネラーを用いて評価を行った。
【００５８】
評価は、大変良い…◎、良い…○、やや悪い…△、悪い…×、の４段階で評価し、全パネラーの平均評価によって判定を行った。なお、評価は、各パネラーが実際の使用を想定した使用テストをして行った。虫やゴミの侵入は、飛び出し防止機構を実際にセットしたとき、箱の外部と内部に明らかに遮蔽のない状態になる場合は、侵入防止機能がないと判断した。この結果を表１に示す。
【００５９】
なお、（Ａ）〜（Ｆ）は市販品であり、（Ｇ）は前記図１〜８に示した本発明の実施例品である。
【００６０】
【表１】
2007001625.tif 000003
【００６１】
表１に示されるように、前記（１）〜（６）の全ての評価項目について「良い」という評価が与えられたのは、本発明の実施例品である（Ｇ）のサンプルだけであった。
【図面の簡単な説明】
【００６２】
【図１】本発明の一実施形態による巻筒体収納箱の押し込み片を押し込んだ状態を示す一部切欠き斜視図である。
【図２】同巻筒体収納箱の展開図である。
【図３】同巻筒体収納箱の押し込み片を押し込む前の状態を示す斜視図である。
【図４】同巻筒体収納箱の側面板を内側から示す説明図である。
【図５】同巻筒体収納箱の側面板を外側から示す説明図である。
【図６】同巻筒体収納箱の側面板の切り込み線や折れ曲げ線の寸法関係を示す説明図である。
【図７】巻筒体収納箱の押し込み片を押し込んだ状態を、側面板の内側から示す説明図である。
【図８】図７のＡ−Ａ矢示線に沿った断面図である。
【図９】試験例で用いた各巻筒体収納箱の側面板の構造を示す展開図である。
【図１０】本発明の巻筒体収納箱において各フラップを上限に配置した状態を示す説明図である。
【図１１】本発明の巻筒体収納箱において各フラップを下限に配置した状態を示す説明図である。
【符号の説明】
【００６３】
１０  巻筒体収納箱
１１  前面板
１２  折返し片
１３  糊付け片
１４  切欠き
１５  底板
１６  外板
１７  折返し片
１８  背面板
１９  内板
２０  側面板
２１  上蓋板
２２  側片
２３  前蓋板
２４  糊付け片
２５  カッタ
２６  蓋体
２７  収納空間
２８  仮止め片
２８ａ  仮付けポイント
２９  切り取り線
３０  巻筒体
３１  ラップフィルム
３２  芯孔
３５  切れ目線
３５ａ  縦線
３５ｂ、３５ｃ  斜め線
３５ｄ、３５ｅ  曲線
３６ａ、３６ｂ、３６ｃ  折れ目線
３７  押えフラップ
３８、３９  支持フラップ
４０  押し込みフラップ
４１  折れ目線
４２  切れ目線
【図１】
2007001625.tif 000004
【図２】
2007001625.tif 000005
【図３】
2007001625.tif 000006
【図４】
2007001625.tif 000007
【図５】
2007001625.tif 000008
【図６】
2007001625.tif 000009
【図７】
2007001625.tif 000010
【図８】
2007001625.tif 000011
【図９】
2007001625.tif 000012
【図１０】
2007001625.tif 000013
【図１１】
2007001625.tif 000014